(57)【特許請求の範囲】
【請求項１】
遮蔽材を取り付けたループ状の移送部材を回転させて遮蔽材の開閉を行う遮蔽材開閉装置であって、
リールと、
前記リールに巻回された紐材と、
前記リールを前記紐材の巻き取り方向に付勢する付勢部材と、
前記紐材の端部に取り付けられ、前記紐材を引き出し操作可能にする操作部材と、
前記リールの両側部に設けられた一対の係合機構と、
前記一対の係合機構のいずれかと係合し、前記リールの回転力を前記移送部材に伝達する受部材と、
を備え、
前記リールは、前記リールの回転軸に直交する反転軸によって少なくとも１８０度回転可能に支持され、
前記リールが前記反転軸を中心に１８０度回転することで、前記受部材が前記一対の係合機構のどちらと係合するかを切り替え可能としたことを特徴とする、遮蔽材開閉装置。
【請求項２】
前記操作部材が前記紐材の引き出し方向に対して直交する方向に回転操作されたときに、前記リールが前記反転軸を中心に回転するようにしたことを特徴とする、請求項１記載の遮蔽材開閉装置。
【請求項３】
押し込み操作可能なノック部材と、
前記ノック部材に臨む回転部と、
前記回転部に噛合するカム部と、
を備え、
前記ノック部材が押し込み操作されたときに、前記ノック部材に押し込まれた前記回転部が前記ノック部材の先端に形成された傾斜に案内されて回動し、前記回転部と前記カム部との噛合が変化することにより前記リールが前記反転軸を中心に回転するようにしたことを特徴とする、請求項１記載の遮蔽材開閉装置。
【請求項４】
前記係合機構は、
前記リールの側部に所定の摩擦力で取り付けられたガイド部材と、
前記回転軸と一体的に回転し、かつ、前記回転軸の軸方向に移動可能な係合部材と、
を備え、
前記リールが回転し始めたときに、前記係合部材が回転しつつ前記ガイド部材に誘導されて前記回転軸の軸方向外側へ移動し、外側へ移動した前記係合部材が前記受部材と噛合するようにしたことを特徴とする、請求項１〜３のいずれか１項に記載の遮蔽材開閉装置。
【請求項５】
前記操作部材には、前記操作部材に加わる衝撃を緩和するための緩衝部材が設けられていることを特徴とする、請求項１〜４のいずれか１項に記載の遮蔽材開閉装置。
【発明の詳細な説明】
【技術分野】
【０００１】
この発明は、カーテンやブラインド等の遮蔽材の開閉を行う遮蔽材開閉装置に関する。
【背景技術】
【０００２】
従来、カーテンやブラインド等の遮蔽材を開閉するために、遮蔽材をガイドするレールの側部に開閉装置を設け、こうした開閉装置を操作することで遮蔽材を開閉可能とした機構が知られている。
【０００３】
例えば、カーテンレールの端部にループ状の操作紐やボールチェーンを取り付け、こうした操作紐やボールチェーンを操作することでカーテンを開閉できるようにしたものが知られている（例えば特許文献１、特許文献２参照）。こうした装置を使用して遮蔽材の開閉を行うようにすれば、遮蔽材を直接触らないで操作できるので、遮蔽材を汚したり、遮蔽材を破損したりといった問題が生じにくい。
【０００４】
しかしながら、ループ状の操作紐やボールチェーンを使用した場合、垂れ下がった操作紐やボールチェーンに子供がいたずらをし、首や体に巻き付けて怪我をするおそれがあった。
【０００５】
この点、例えば特許文献３に示すように、電動式の装置で遮蔽材の開閉を行うようにすれば、操作紐やボールチェーンが垂れ下がった状態とはならないので、上記のようないたずらによる事故を防止できる。
【先行技術文献】
【特許文献】
【０００６】
【特許文献１】特公昭６２−８１６５号公報
【特許文献２】実開平１−１３９７８４号公報
【特許文献３】特開平１１−１５１１５８号公報
【発明の概要】
【発明が解決しようとする課題】
【０００７】
しかし、特許文献３に記載されているような電動式の装置は高価であり、配線工事も煩雑であるという問題があった。
そこで、本発明は、操作紐やボールチェーンによる事故を防止でき、かつ、安価で取扱いの容易な遮蔽材開閉装置を提供することを課題とする。
【課題を解決するための手段】
【０００８】
本発明は、上記した課題を解決するためになされたものであり、以下を特徴とする。
【０００９】
請求項１記載の発明は、遮蔽材を取り付けたループ状の移送部材を回転させて遮蔽材の開閉を行う遮蔽材開閉装置であって、リールと、前記リールに巻回された紐材と、前記リールを前記紐材の巻き取り方向に付勢する付勢部材と、前記紐材の端部に取り付けられ、前記紐材を引き出し操作可能にする操作部材と、前記リールの両側部に設けられた一対の係合機構と、前記一対の係合機構のいずれかと係合し、前記リールの回転力を前記移送部材に伝達する受部材と、を備え、前記リールは、前記リールの回転軸に直交する反転軸によって少なくとも１８０度回転可能に支持され、前記リールが前記反転軸を中心に１８０度回転することで、前記受部材が前記一対の係合機構のどちらと係合するかを切り替え可能としたことを特徴とする。
【００１０】
請求項２に記載の発明は、上記した請求項１に記載の発明の特徴点に加え、前記操作部材が前記紐材の引き出し方向に対して直交する方向に回転操作されたときに、前記リールが前記反転軸を中心に回転するようにしたことを特徴とする。
【００１１】
請求項３に記載の発明は、上記した請求項１に記載の発明の特徴点に加え、押し込み操作可能なノック部材と、前記ノック部材に臨む回転部と、前記回転部に噛合するカム部と、を備え、前記ノック部材が押し込み操作されたときに、前記ノック部材に押し込まれた前記回転部が前記ノック部材の先端に形成された傾斜に案内されて回動し、前記回転部と前記カム部との噛合が変化することにより前記リールが前記反転軸を中心に回転するようにしたことを特徴とする。
【００１２】
請求項４に記載の発明は、上記した請求項１〜３のいずれかに記載の発明の特徴点に加え、前記係合機構は、前記リールの側部に所定の摩擦力で取り付けられたガイド部材と、前記回転軸と一体的に回転し、かつ、前記回転軸の軸方向に移動可能な係合部材と、を備え、前記リールが回転し始めたときに、前記係合部材が回転しつつ前記ガイド部材に誘導されて前記回転軸の軸方向外側へ移動し、外側へ移動した前記係合部材が前記受部材と噛合するようにしたことを特徴とする。
【００１３】
請求項５に記載の発明は、上記した請求項１〜４のいずれかに記載の発明の特徴点に加え、前記操作部材には、前記操作部材に加わる衝撃を緩和するための緩衝部材が設けられていることを特徴とする。
【発明の効果】
【００１４】
請求項１に記載の発明は上記の通りであり、リールと、前記リールに巻回された紐材と、前記リールを前記紐材の巻き取り方向に付勢する付勢部材と、前記紐材の端部に取り付けられ、前記紐材を引き出し操作可能にする操作部材と、前記リールの両側部に設けられた一対の係合機構と、前記一対の係合機構のいずれかと係合し、前記リールの回転力を前記移送部材に伝達する受部材と、を備えている。このような構成によれば、操作部材を引き操作して紐材を引き出すことでリールが回転し、このリールの回転力が係合機構を介して受部材へ伝達され、移送部材が回転することで遮蔽材の開閉が行われる。よって、遮蔽材を直接触らなくても開閉することができるので、遮蔽材を汚したり、遮蔽材を破損したりといった問題が生じにくい。
【００１５】
そして、操作した操作部材を離すと、付勢部材によって紐材がリールに巻き取られ、操作部材が元に位置に戻る。よって、操作紐やボールチェーンが垂れ下がった状態とはならないので、子供のいたずらによる事故を防止でき、安全性を高めることができる。また、装置をコンパクトに保つことができ、すっきりとした外観を保つことができる。
【００１６】
また、前記リールは、前記リールの回転軸に直交する反転軸によって少なくとも１８０度回転可能に支持され、前記リールが前記反転軸を中心に１８０度回転することで、前記受部材が前記一対の係合機構のどちらと係合するかを切り替え可能とした。このような構成によれば、反転軸を中心にリールを１８０度回転させることで、開操作または閉操作の切り替えを行うことができる。すなわち、リールの一側に設けられた係合機構と、リールの他側に設けられた係合機構とは、互いに異なる方向に回転するため、どちらの係合機構を使用するかによって移送部材の回転方向を切り替えることができる。よって、遮蔽材の開操作を行いたい場合には一方の係合機構を使用し、遮蔽材の閉操作を行いたい場合には他方の係合機構を使用すればよい。このように一つの操作部材で遮蔽材の開閉操作を実現することで、遮蔽材開閉装置をシンプルな構造とすることができる。言い換えると、部品点数を減らしてコンパクトかつ安価に製作できるとともに、見栄えが良く操作し易い遮蔽材開閉装置を提供することができる。
【００１７】
また、請求項２に記載の発明は上記の通りであり、前記操作部材が前記紐材の引き出し方向に対して直交する方向に回転操作されたときに、前記リールが前記反転軸を中心に回転するようにした。すなわち、操作部材を軸回転させると、これに連動してリールが反転軸を中心に回転し、一対の係合機構のどちらと係合するかが切り替わるようにした。このような構成によれば、分かりやすく簡易な操作で開操作または閉操作の切り替えを行うことができるので、使い勝手の良い遮蔽材開閉装置を提供することができる。
【００１８】
また、請求項３に記載の発明は上記の通りであり、押し込み操作可能なノック部材と、前記ノック部材に臨む回転部と、前記回転部に噛合するカム部と、を備え、前記ノック部材が押し込み操作されたときに、前記ノック部材に押し込まれた前記回転部が前記ノック部材の先端に形成された傾斜に案内されて回動し、前記回転部と前記カム部との噛合が変化することにより前記リールが前記反転軸を中心に回転するようにした。すなわち、ノック部材を押し込み操作すると、一対の係合機構のどちらと係合するかが切り替わるようにした。このような構成によれば、分かりやすく簡易な操作で開操作または閉操作の切り替えを行うことができるので、使い勝手の良い遮蔽材開閉装置を提供することができる。
【００１９】
また、請求項４に記載の発明は上記の通りであり、前記係合機構は、前記リールの側部に所定の摩擦力で取り付けられたガイド部材と、前記回転軸と一体的に回転し、かつ、前記回転軸の軸方向に移動可能な係合部材と、を備え、前記リールが回転し始めたときに、前記係合部材が回転しつつ前記ガイド部材に誘導されて前記回転軸の軸方向外側へ移動し、外側へ移動した前記係合部材が前記受部材と噛合するようにした。このような構成によれば、操作部材が引き操作されてリールが回転を開始すると、係合部材が外側へ移動して受部材と噛合し、移送部材へ動力が伝達される。一方、操作部材が離されてリールが逆回転を開始すると、係合部材が内側へ移動して受部材との噛合が解除されるので、移送部材が逆回転することはない。このような構成によれば、操作部材が操作されていないときの係合機構をコンパクトに保つことができるので、リールが反転軸を中心に回転するときの回転半径を小さくすることができる。よって、リールを回転させるためのスペースを小さくすることができるので、遮蔽材開閉装置をコンパクトに構成することができる。
【００２０】
また、請求項５に記載の発明は上記の通りであり、操作部材には、操作部材に加わる衝撃を緩和するための緩衝部材が設けられているので、例えば、操作部材を引き操作して紐材をすべて引き出したとしても、緩衝部材が衝撃を緩和してくれるので、操作部材を把持した手に加わる衝撃が小さくて済むようになっている。
【図面の簡単な説明】
【００２１】
【図１】遮蔽材開閉装置の使用状態を示す外観図である。
【図２】遮蔽材開閉装置の使用状態を示す断面図である。
【図３】遮蔽材開閉装置の断面図である。
【図４】操作中の遮蔽材開閉装置の断面図である。
【図５】リール機構の外観図である。
【図６】受部材の（ａ）斜視図、（ｂ）正面図である。
【図７】ガイド部材の（ａ）斜視図、（ｂ）正面図、（ｃ）側面図である。
【図８】係合部材の（ａ）斜視図、（ｂ）正面図、（ｃ）背面図である。
【図９】変形例に係る遮蔽材開閉装置の断面図である。
【図１０】ノック機構の作動説明図であって、（ａ）作動前の図、（ｂ）ノック部材が押し込まれた状態の図、（ｃ）回転部が回転した状態の図、（ｄ）作動後の図である。
【発明を実施するための形態】
【００２２】
本発明の実施形態について、図を参照しながら説明する。
【００２３】
本実施形態に係る遮蔽材開閉装置２０は、遮蔽材１４を取り付けたループ状の移送部材１１を回転させて遮蔽材１４の開閉を行うためのものであり、例えば図１に示すような態様で使用される。この図１に示す例では、横開きのカーテンやブラインド等の遮蔽材１４を開閉するために使用される。遮蔽材１４の上端部には、先導ランナー１２及び遊動ランナー１３が取り付けられている。先導ランナー１２及び遊動ランナー１３は、レール１０に対して走行可能に取り付けられている。先導ランナー１２及び遊動ランナー１３がレール上を走行することで、遮蔽材１４がレール１０に沿って開閉される。レール１０の端部には、本実施形態に係る遮蔽材開閉装置２０が取り付けられている。この遮蔽材開閉装置２０を操作することで遮蔽材１４が開閉される。
【００２４】
レール１０の内部には、図２に示すように、ループ状の移送部材１１と、移送部材１１を掛け回した駆動プーリ１８及び従動プーリ１９と、出力ギア１７と、が配設されている。
【００２５】
移送部材１１は、駆動プーリ１８及び従動プーリ１９に掛け回された紐状または帯状の部材であり、駆動プーリ１８が回転したときに回転するようになっている。この移送部材１１には先導ランナー１２が固定されており、移送部材１１が回転すると先導ランナー１２が移動して遮蔽材１４が開閉される。
【００２６】
詳しくは、移送部材１１が開方向へと回転すると、先導ランナー１２も開方向へと移動する。このとき、先導ランナー１２は、遊動ランナー１３を開方向へと押し動かしつつ移動する。先導ランナー１２及び遊動ランナー１３がレール１０の端部に到達してそれ以上移動できなくなると、遮蔽材１４が完全に開いた状態となる。
【００２７】
一方、移送部材１１が閉方向へと回転すると、先導ランナー１２も閉方向へと移動する。先導ランナー１２が閉方向へと移動すると、遮蔽材１４を介して遊動ランナー１３が引っ張られて閉方向へと移動する。先導ランナー１２が他の先導ランナー１２（遮蔽材１４が片開きの場合はレール１０の端部）に到達してそれ以上移動できなくなると、遮蔽材１４が完全に閉じた状態となる。
【００２８】
駆動プーリ１８及び従動プーリ１９は、移送部材１１を回転させるためのものである。駆動プーリ１８は、遮蔽材開閉装置２０が配置されたレール１０の一端部側に配置され、従動プーリ１９は、レール１０の他端部側に配置されている。駆動プーリ１８の側部には入力ギア部１８ａが一体的に形成されており、この入力ギア部１８ａに動力が伝達されることで駆動プーリ１８が回転するようになっている。
【００２９】
出力ギア１７は、上記した入力ギア部１８ａに噛合して動力を伝達するためのものである。この出力ギア１７は、後述する受部材２２と一体的に回転するように形成されている。
【００３０】
図３は、本実施形態に係る遮蔽材開閉装置２０の断面図である。この図３に示すように、遮蔽材開閉装置２０は、ケース２１と、受部材２２と、ノッチ部材４７と、ノッチ付勢手段４８と、リール機構３０と、操作部材４９と、を備えている。
【００３１】
ケース２１は、受部材２２やリール機構３０を露出しないように覆うとともに、受部材２２やリール機構３０を回転可能に支持するためのものである。このケース２１には、上部に支持孔２１ａが形成され、下部に貫通孔２１ｂが形成されている。この支持孔２１ａ及び貫通孔２１ｂは、リール機構３０を水平方向に回転可能に支持するためのものである。この支持孔２１ａ及び貫通孔２１ｂによって、リール機構３０を少なくとも１８０度回転可能に支持する反転軸が形成されている。
【００３２】
受部材２２は、後述するリール３２の回転力を移送部材１１に伝達するための部材である。詳しくは後述するが、リール３２が回転したときに、一対の係合機構４０（後述）のいずれかが受部材２２と係合することで、受部材２２がリール３２と一体的に回転するように形成されている。受部材２２が回転すると、受部材２２に固定された出力ギア１７が一体的に回転する。出力ギア１７の回転力が駆動プーリ１８に伝達されることで移送部材１１が回転する。
【００３３】
なお、この受部材２２は、両方向に回転可能となっており、受部材２２がどちらに回転するかによって、移送部材１１が開方向へ回転するか閉方向へ回転するかが決定される。受部材２２は、係合機構４０に臨む面に、係合機構４０のギアに係合する係合歯２２ａを備えている。この係合歯２２ａは、図６に示すように、いずれの回転方向であっても噛合できるように左右対称の山形状で形成されている。
【００３４】
ノッチ部材４７は、ケース２１に対するリールケース３１の位置を安定させるための部材である。このノッチ部材４７は、図５に示すようなリング状の部材であり、周方向の２箇所に凸部４７ａを備えている。この凸部４７ａは、後述するリールケース３１の凹部３１ｆに係合させるためのものである。このノッチ部材４７は、ケース２１に回転不能に装着されている。具体的には、凸部４７ａが外周方向にやや突出して形成されており、この突出形状が回り止めとして作用するようになっている。
【００３５】
また、このノッチ部材４７は、ケース２１に対して上下動可能であり、ノッチ付勢手段４８によって常時上方向（リールケース３１の凹部３１ｆに係合する方向）へ付勢されている。
【００３６】
リール機構３０は、リールケース３１と、リール３２と、軸部材３３と、紐材３４と、付勢部材３５と、紐材ガイド３６と、係合機構４０と、を備えている。
【００３７】
リールケース３１は、リール３２を収容するための部材であり、図３及び図５に示すように、略円筒形状のリール収容部３１ａと、リール収容部３１ａの上端に突出形成された突起３１ｂと、リール収容部３１ａの下方に突出した棒状部３１ｃと、を備える。リール収容部３１ａの内部には、図３に示すようにリール３２が収容されている。リール収容部３１ａに収容されたリール３２は、リールケース３１に回転可能に支持されている。
【００３８】
リールケース３１の突起３１ｂは、ケース２１の支持孔２１ａに挿入するための部位である。また、棒状部３１ｃは、ケース２１の貫通孔２１ｂに挿入される。突起３１ｂ及び棒状部３１ｃは同軸上に断面円形で形成されており、これによりリールケース３１がケース２１に対して水平方向に回転可能となっている。すなわち、リールケース３１は、突起３１ｂ及び棒状部３１ｃの軸（反転軸）によって、ケース２１に回転可能に支持されている。この反転軸は、リール３２の回転軸に直交するように配置されており、少なくとも１８０度回転可能となっている。
【００３９】
なお、図５に示すように、棒状部３１ｃの根元付近は大径に形成されており、この大径部３１ｄの端縁にガイド面３１ｅが形成されている。このガイド面３１ｅは、ノッチ部材４７の凸部４７ａの先端に臨むように形成されており、ガイド面３１ｅの上を凸部４７ａの先端が摺動できるように形成されている。また、このガイド面３１ｅの周方向の二箇所には、凹部３１ｆが形成されている。この凹部３１ｆは、ノッチ部材４７の凸部４７ａを嵌り込ませることでリールケース３１の位置を決定するためのものである。
【００４０】
詳しくは、反転軸を中心にリールケース３１を回転させると、ノッチ部材４７の凸部４７ａ先端がガイド面３１ｅに沿って摺動する。このとき、ノッチ部材４７はノッチ付勢手段４８の付勢力に抗して押し下げられる。リールケース３１が１８０度回転すると、ノッチ部材４７の凸部４７ａが凹部３１ｆに嵌り込む。ノッチ部材４７はノッチ付勢手段４８の付勢力によってガイド面３１ｅに押し付けられているため、凸部４７ａと凹部３１ｆとが係合し、ケース２１に対するリールケース３１の位置が安定する。このように構成することで、リールケース３１は、反転軸を中心にケース２１に対して１８０度回転した２つの位置で凸部４７ａと凹部３１ｆとが係合し、位置が安定するようになっている。なお、この２つの安定した位置では、図３等に示すように、リール３２の回転軸と受部材２２の軸とが同軸となるように設定されている。
【００４１】
リール３２は、軸部材３３を回転軸としてリールケース３１に回転可能に支持されており、外周部に保持溝３２ａを備えている。この保持溝３２ａに紐材３４が巻回された状態でリールケース３１に収容されている。
【００４２】
紐材３４は、一端がリール３２に固定されてリール３２に巻回されており、他端は後述する紐材ガイド３６の内部を通ってリールケース３１の外に引き出されている。リールケース３１の外に引き出された紐材３４の他端部は、後述する操作部材４９に固定されており、操作部材４９を引き操作したときに紐材３４が引き出されてリール３２が回転するように構成されている。
【００４３】
付勢部材３５は、リール３２を紐材３４の巻き取り方向に付勢するためのものである。例えばリコイルゼンマイなどが使用される。この付勢部材３５もリールケース３１に収容されている。
【００４４】
紐材ガイド３６は、リールケース３１の棒状部３１ｃを延長するように接続固定される棒状の部材である。この紐材ガイド３６は、断面が多角形となるように形成した角柱部３６ａを備えている。この角柱部３６ａは、後述する操作部材４９に挿入されて係合するようになっている。
【００４５】
係合機構４０は、受部材２２に係合してリール３２の回転力を伝達するためのものであり、リールケース３１（リール３２）の両側部に設けられている。この係合機構４０は、リールケース３１の一側部に設けられた第１の係合機構４０Ａと、リールケース３１の他側部に設けられた第２の係合機構４０Ｂと、からなる。第１の係合機構４０Ａ及び第２の係合機構４０Ｂは、一方が遮蔽材１４を開くためのものであり、他方が遮蔽材１４を閉じるためのものである。第１の係合機構４０Ａと第２の係合機構４０Ｂとは、互いに逆方向に回転するため、互いに反転した形状で形成されているが（図５、図７及び図８を参照）、その他の基本的な構造は両者において共通である。
【００４６】
この係合機構４０は、摩擦部材４１と、ガイド部材４２と、係合部材４３と、コイルバネ４４と、を備える。これらの部材はすべて軸部材３３を貫通させて取り付けられる。言い換えると、これらの部材はすべてリール３２の回転軸と同軸で取り付けられる。
【００４７】
摩擦部材４１は、ガイド部材４２に所定の摩擦力を付与するためのものである。摩擦部材４１は、例えばゴム製のリングであり、リールケース３１とガイド部材４２とで挟み込んで保持されることにより、ガイド部材４２の回転を抑制するように作用する。
【００４８】
ガイド部材４２は、軸部材３３の軸方向へ係合部材４３が移動するときの動きをガイドするためのものである。このガイド部材４２は、中心部に軸部材３３を貫通させる孔を備えており、軸部材３３に回転自在に取り付けられている。このガイド部材４２は、後述するコイルバネ４４の付勢力が作用することで摩擦部材４１に押し付けられており、これにより所定の摩擦力が付与されている。
【００４９】
このガイド部材４２は、図７に示すようなリング状の部材であり、表面（係合部材４３との対向面）にガイドスロープ４２ａと突き当て部４２ｂとを備えている。ガイドスロープ４２ａ及び突き当て部４２ｂは、ガイド部材４２を周方向に３分割した領域にそれぞれ１つずつ設けられている。すなわち、３つのガイドスロープ４２ａ及び突き当て部４２ｂが設けられている。ガイドスロープ４２ａは周方向に傾斜を形成しており、このガイドスロープ４２ａの最も高い位置には、この最も高い位置よりも高い段を形成する突き当て部４２ｂが設けられている。
【００５０】
係合部材４３は、受部材２２に係合する部材である。この係合部材４３は、中心部に軸部材３３を貫通させる角孔４３ｃを備えている。この角孔４３ｃに軸部材３３が係合することで、係合部材４３はリール３２の回転軸である軸部材３３と一体的に回転するようになっている。なお、係合部材４３は軸部材３３の軸方向に移動可能に取り付けられているが、後述するコイルバネ４４の付勢力が作用することで常に内側に押し付けられている。
【００５１】
この係合部材４３は、図８に示すようなリング状の部材である。この係合部材４３の正面側（受部材２２との対向面側）には、係合部４３ａが突出形成されている。係合部４３ａは、受部材２２の係合歯２２ａに係合する部位である。また、この係合部材４３の裏面側（ガイド部材４２との対向面側）には、被ガイド部４３ｂが突出形成されている。被ガイド部４３ｂは、ガイド部材４２のガイドスロープ４２ａ上を走行する部位である。
【００５２】
コイルバネ４４は、図３に示すように、係合部材４３を内側（リール３２側）へと付勢するためのものである。このコイルバネ４４が係合部材４３を付勢することで、ガイド部材４２や摩擦部材４１も内側（リール３２側）へと付勢されている。
【００５３】
操作部材４９は、上記したリール機構３０から引き出された紐材３４の端部に取り付けられ、紐材３４を引き出し操作可能にするためのものである。この操作部材４９は、図３に示すように、筒部４９ａと、延長部４９ｂと、保持部材４９ｃと、緩衝バネ４９ｄと、を備えている。
【００５４】
筒部４９ａは、紐材ガイド３６を挿入可能な挿通孔４９ｅを備えている。この挿通孔４９ｅは、紐材ガイド３６の角柱部３６ａと係合可能な角孔で形成されている。リール３２が巻き取られた状態では、図３に示すように、挿通孔４９ｅに紐材ガイド３６の角柱部３６ａが挿入され、互いに回転不能な状態となる。この状態で操作部材４９を水平方向（紐材３４の引き出し方向に対して直交する方向）に回転操作すると、紐材ガイド３６にも水平方向に回転しようとする力が働き、リールケース３１が反転軸を中心に水平方向に回転するようになっている。
【００５５】
延長部４９ｂは、筒部４９ａの長さを延長するためのものである。例えば遮蔽材開閉装置２０が高い位置に取り付けられた場合に、延長部４９ｂで操作部材４９の全長を長くして操作容易とすることができる。
【００５６】
保持部材４９ｃは、紐材３４の端部を取り付けるための部材である。この保持部材４９ｃは、緩衝バネ４９ｄを介して筒部４９ａの内部に取り付けられる。このように緩衝バネ４９ｄを介して紐材３４を取り付けることで、操作部材４９に加わる衝撃を緩和することができる。例えば、操作部材４９を引き操作して紐材３４をすべて引き出したとしても、緩衝バネ４９ｄが衝撃を緩和してくれるので、操作部材４９を把持した手に加わる衝撃が小さくて済むようになっている。
【００５７】
次に、上記した遮蔽材開閉装置２０の使用方法と作動について説明する。
遮蔽材１４を開く操作をする場合、まず遮蔽材開閉装置２０が開操作の状態となっているかを確認する。具体的には、開操作用の係合機構４０が受部材２２に対向する状態となっているかを確認する。開操作の状態となっていない場合、言い換えると閉操作の状態となっている場合には、操作部材４９を水平方向に１８０度回転させる。この操作により、リールケース３１が反転軸を中心に１８０度回転するので、受部材２２に対向する係合機構４０が切り替わる。
【００５８】
次に、操作部材４９を引き操作する。操作部材４９を引き操作すると、リール３２が回転を開始する。リール３２が回転すると、リール３２と一体的に係合部材４３も回転する。このとき、ガイド部材４２には摩擦力が働いているため、ガイド部材４２は回転せずに静止している。よって、ガイド部材４２のガイドスロープ４２ａの上を、係合部材４３の被ガイド部４３ｂが滑りながら回転する。係合部材４３は、ガイドスロープ４２ａによって回転軸の軸方向外側へと誘導される。このように外側へ移動した係合部材４３は、図４に示すように、受部材２２と噛合するので、受部材２２に動力が伝達される。すなわち、移送部材１１が回転することで遮蔽材１４が開く。なお、係合部材４３の被ガイド部４３ｂがガイドスロープ４２ａの上端に達すると、被ガイド部４３ｂが突き当て部４２ｂに係合する。これにより、ガイド部材４２は、係合部材４３と係合した状態となるので、係合部材４３と一緒に回転する。
【００５９】
操作部材４９の操作が終わり、操作部材４９から手を離すと、付勢部材３５の付勢力によって自動的にリール３２が巻き戻される。このとき、ガイド部材４２には摩擦力が働いているため、ガイド部材４２は回転せずに静止している。よって、ガイド部材４２のガイドスロープ４２ａの上を、係合部材４３の被ガイド部４３ｂが滑りながら回転する。係合部材４３は、ガイドスロープ４２ａによって回転軸の軸方向内側へと誘導される。このように係合部材４３が内側へ移動することで、受部材２２との噛合が解除され、受部材２２に動力は伝達されない。リール３２が完全に巻き戻されると、図３に示すような初期状態へと戻る。
【００６０】
なお、遮蔽材１４を閉じる操作をする場合には、受部材２２に対向する係合機構４０を切り替えて遮蔽材開閉装置２０を閉操作の状態とし、操作部材４９を引き操作すればよい。受部材２２に対向する係合機構４０を切り替えれば、係合機構４０の回転方向が切り替わるので、移送部材１１の回転方向も切り替えることができる。
【００６１】
以上説明したように、本実施形態によれば、リール３２と、リール３２に巻回された紐材３４と、リール３２を紐材３４の巻き取り方向に付勢する付勢部材３５と、紐材３４の端部に取り付けられ、紐材３４を引き出し操作可能にする操作部材４９と、リール３２の両側部に設けられた一対の係合機構４０と、一対の係合機構４０のいずれかと係合し、リール３２の回転力を移送部材１１に伝達する受部材２２と、を備えている。このような構成によれば、操作部材４９を引き操作して紐材３４を引き出すことでリール３２が回転し、このリール３２の回転力が係合機構４０を介して受部材２２へ伝達され、移送部材１１が回転することで遮蔽材１４の開閉が行われる。よって、遮蔽材１４を直接触らなくても開閉することができるので、遮蔽材１４を汚したり、遮蔽材１４を破損したりといった問題が生じにくい。
【００６２】
そして、操作した操作部材４９を離すと、付勢部材３５によって紐材３４がリール３２に巻き取られ、操作部材４９が元に位置に戻る。よって、操作紐やボールチェーンが垂れ下がった状態とはならないので、子供のいたずらによる事故を防止でき、安全性を高めることができる。また、装置をコンパクトに保つことができ、すっきりとした外観を保つことができる。
【００６３】
また、リール３２は、リール３２の回転軸に直交する反転軸によって少なくとも１８０度回転可能に支持され、リール３２が反転軸を中心に１８０度回転することで、受部材２２が一対の係合機構４０のどちらと係合するかを切り替え可能とした。このような構成によれば、反転軸を中心にリール３２を１８０度回転させることで、開操作または閉操作の切り替えを行うことができる。すなわち、リール３２の一側に設けられた係合機構４０と、リール３２の他側に設けられた係合機構４０とは、互いに異なる方向に回転するため、どちらの係合機構４０を使用するかによって移送部材１１の回転方向を切り替えることができる。よって、遮蔽材１４の開操作を行いたい場合には一方の係合機構４０を使用し、遮蔽材１４の閉操作を行いたい場合には他方の係合機構４０を使用すればよい。このように一本の操作部材４９で遮蔽材１４の開閉操作を実現することで、遮蔽材開閉装置２０をシンプルな構造とすることができる。言い換えると、部品点数を減らしてコンパクトかつ安価に製作できるとともに、見栄えが良く操作し易い遮蔽材開閉装置２０を提供することができる。
【００６４】
また、操作部材４９が紐材３４の引き出し方向に対して直交する方向に回転操作されたときに、リール３２が反転軸を中心に回転するようにした。すなわち、操作部材４９を軸回転させると、これに連動してリール３２が反転軸を中心に回転し、一対の係合機構４０のどちらと係合するかが切り替わるようにした。このような構成によれば、分かりやすく簡易な操作で開操作または閉操作の切り替えを行うことができるので、使い勝手の良い遮蔽材開閉装置２０を提供することができる。
【００６５】
また、係合機構４０は、リール３２の側部に所定の摩擦力で取り付けられたガイド部材４２と、回転軸（軸部材３３）と一体的に回転し、かつ、回転軸の軸方向に移動可能な係合部材４３と、を備え、リール３２が回転し始めたときに、係合部材４３が回転しつつガイド部材４２に誘導されて回転軸の軸方向外側へ移動し、外側へ移動した係合部材４３が受部材２２と噛合するようにした。このような構成によれば、操作部材４９が引き操作されてリール３２が回転を開始すると、係合部材４３が外側へ移動して受部材２２と噛合し、移送部材１１へ動力が伝達される。一方、操作部材４９が離されてリール３２が逆回転を開始すると、係合部材４３が内側へ移動して受部材２２との噛合が解除されるので、移送部材１１が逆回転することはない。このような構成によれば、操作部材４９が操作されていないときの係合機構４０をコンパクトに保つことができるので、リール３２が反転軸を中心に回転するときの回転半径を小さくすることができる。よって、リール３２を回転させるためのスペースを小さくすることができるので、遮蔽材開閉装置２０をコンパクトに構成することができる。
【００６６】
なお、上記した実施形態においては、操作部材４９が紐材３４の引き出し方向に対して直交する方向に回転操作されたときに、リール３２が反転軸を中心に回転するようにしたが、別の方法によってリール３２を回転させてもよい。
【００６７】
例えば、図９に示すように、操作部材４９をリール３２側へ押し込んだときに、リール３２が反転軸を中心に回転するようにしてもよい。
【００６８】
この変形例に係る構成においては、リールケース３１は、ケース２１に対して上下動可能に取り付けられており、リールケース付勢部材５１によって常に下方へと押し付けられている。また、リールケース３１の下端付近には、回転部５３が一体的に設けられている。
【００６９】
上記した回転部５３の下方には、回転部５３の下端縁に臨むようにノック部材５２及びカム部５４が設けられている。ノック部材５２は、ケース２１に対して上下動可能に取り付けら得ているが、リールケース付勢部材５１によって付勢されたリールケース３１によって下方へと押し付けられている。カム部５４は、ケース２１に一体的に設けられている。
【００７０】
このような構成においては、操作されていない状態では図１０（ａ）に示すように、回転部５３のカム歯５３ｂとカム部５４のカム溝５４ｂとが噛合している。この状態から操作部材４９をリール３２側へ押し込むと、図１０（ｂ）に示すように、ノック部材５２が回転部５３を押し上げる。押し上げられた回転部５３は、図１０（ｃ）に示すように、ノック部材５２の先端に形成された傾斜部５２ａに案内されて回動する。回転部５３が回動すると、回転部５３の傾斜部５３ａが、隣接するカム部５４の傾斜部５４ａに誘導され、回転部５３が更に回動する。最終的に、図１０（ｄ）に示すように、回転部５３が１８０度回転した状態で回転部５３とカム部５４とが噛合する。これにより、リールケース３１が反転軸を中心に１８０度回転する。
【００７１】
このような構成であっても、分かりやすく簡易な操作で開操作または閉操作の切り替えを行うことができるので、使い勝手の良い遮蔽材開閉装置２０を提供することができる。
【符号の説明】
【００７２】
１０  レール
１１  移送部材
１２  先導ランナー
１３  遊動ランナー
１４  遮蔽材
１７  出力ギア
１８  駆動プーリ
１８ａ  入力ギア部
１９  従動プーリ
２０  遮蔽材開閉装置
２１  ケース
２１ａ  支持孔
２１ｂ  貫通孔
２２  受部材
２２ａ  係合歯
３０  リール機構
３１  リールケース
３１ａ  リール収容部
３１ｂ  突起
３１ｃ  棒状部
３１ｄ  大径部
３１ｅ  ガイド面
３１ｆ  凹部
３２  リール
３２ａ  保持溝
３３  軸部材
３４  紐材
３５  付勢部材
３６  紐材ガイド
３６ａ  角柱部
４０  係合機構
４０Ａ  第１の係合機構
４０Ｂ  第２の係合機構
４１  摩擦部材
４２  ガイド部材
４２ａ  ガイドスロープ
４２ｂ  突き当て部
４３  係合部材
４３ａ  係合部
４３ｂ  被ガイド部
４３ｃ  角孔
４４  コイルバネ
４７  ノッチ部材
４７ａ  凸部
４８  ノッチ付勢手段
４９  操作部材
４９ａ  筒部
４９ｂ  延長部
４９ｃ  保持部材
４９ｄ  緩衝バネ
４９ｅ  挿通孔
５１  リールケース付勢部材
５２  ノック部材
５２ａ  傾斜部
５３  回転部
５３ａ  傾斜部
５３ｂ  カム歯
５４  カム部
５４ａ  傾斜部
５４ｂ  カム溝
【図１】
0006587530.tif 000002
【図２】
0006587530.tif 000003
【図３】
0006587530.tif 000004
【図４】
0006587530.tif 000005
【図５】
0006587530.tif 000006
【図６】
0006587530.tif 000007
【図７】
0006587530.tif 000008
【図８】
0006587530.tif 000009
【図９】
0006587530.tif 000010
【図１０】
0006587530.tif 000011